(57)【要約】      （修正有）【課題】冷却貯蔵庫のスライドレールにおいて結露が発生する事態を抑制することができる冷却貯蔵庫を提供する。【解決手段】開口部１１を有する貯蔵室１２を構成する箱体と、開口部１１を開閉可能な後側スライド扉４０と、後側スライド扉４０の上端部が嵌合される後側レール溝５２を有する上側スライドレール５０と、後側スライド扉４０の下端部が嵌合される後側レール溝を有する下側スライドレールと、を備え、箱体は、冷却器及び庫内ファンが収容された冷却器室を有し、後側レール溝５２の底面５２Ａと、後側スライド扉４０の上端面との間には、空間Ｓ１が設けられ、上側スライドレール５０を構成する壁部５３には、空間Ｓ１と貯蔵室１２を連通する空気孔５４が貫通形成されている。【選択図】図３
2018194177.tif 000002
【特許請求の範囲】
【請求項１】
前側に開口された開口部を有する貯蔵室を構成する箱体と、
前記箱体に対してスライド移動可能に設けられ、前記開口部を開閉可能なスライド扉と、
前記箱体における前記開口部の開口縁部に設けられ、前記スライド扉の上端部が嵌合される上側レール溝を有する上側スライドレールと、
前記箱体における前記開口部の開口縁部に設けられ、前記スライド扉の下端部が嵌合される下側レール溝を有する下側スライドレールと、を備え、
前記箱体は、前記貯蔵室の上方に配されると共に、冷却器、及び前記冷却器によって生成された冷気を前記貯蔵室に送風可能な庫内ファンが収容された冷却器室を有し、
下方に開口された前記上側レール溝の底面と、前記スライド扉の上端面との間には、空間が設けられ、
前記上側スライドレールを構成する壁部には、前記空間と前記貯蔵室を連通する空気孔が貫通形成されている冷却貯蔵庫。
【請求項２】
前記上側レール溝における前記貯蔵室側の側面と、前記スライド扉の前記上端部の間には、スペーサが介在されている請求項１に記載の冷却貯蔵庫。
【請求項３】
前記空気孔の孔縁部における上側の孔縁部は、
前記上側レール溝の前記底面における前記貯蔵室側の端部から下方に延びる延設壁部によって構成されている請求項１又は請求項２に記載の冷却貯蔵庫。
【請求項４】
前記空気孔の内面は、前記貯蔵室に向かうにつれて前記空気孔の外側に向かう形で傾斜する傾斜面を有する請求項１から請求項３のいずれか一項に記載の冷却貯蔵庫。
【請求項５】
前記空気孔の内面には、凸部が形成されている請求項１から請求項４のいずれか一項に記載の冷却貯蔵庫。
【請求項６】
前記空気孔の内面には、凹部が形成されている請求項１から請求項５のいずれか一項に記載の冷却貯蔵庫。
【請求項７】
前記庫内ファンは、前記上側スライドレールから遠ざかる側に送風することが可能な構成である請求項１から請求項６のいずれか一項に記載の冷却貯蔵庫。
【請求項８】
前記空気孔の貫通方向は、前記貯蔵室に向かうにつれて上昇傾斜する方向である請求項７に記載の冷却貯蔵庫。
【請求項９】
前記空気孔の貫通方向は、前記貯蔵室に向かうにつれて下降傾斜する方向である請求項１から請求項７のいずれか一項に記載の冷却貯蔵庫。
【請求項１０】
前記上側レール溝の側面及び前記スライド扉の前記上端部において前記上側レール溝の前記側面と対向する対向面のうち、いずれか一方の面は、下方に向かうにつれて他方の面から遠ざかる形で傾斜する傾斜面である請求項１から請求項９のいずれか一項に記載の冷却貯蔵庫。
【請求項１１】
前記スライド扉の前記上端部において、前記上側レール溝における側面と対向する面には、突部が設けられている請求項１から請求項１０のいずれか一項に記載の冷却貯蔵庫。
【請求項１２】
前記下側レール溝の底面は、
前記貯蔵室側に向かうにつれて上昇傾斜又は下降傾斜する傾斜面であり、
前記上側レール溝の側面は、鉛直方向に沿って延びる面である請求項１から請求項１１のいずれか一項に記載の冷却貯蔵庫。
【請求項１３】
前記下側レール溝の底面には、当該冷却貯蔵庫の前後方向のうちいずれか一方が低い段差部が設けられ、
前記上側レール溝の側面は、鉛直方向に沿って延びる面である請求項１から請求項１１のいずれか一項に記載の冷却貯蔵庫。
【請求項１４】
前記上側レール溝は、前記下側レール溝に対して、当該冷却貯蔵庫の前後方向について異なる位置に配されており、
前記上側レール溝の側面は、鉛直方向に沿って延びる面である請求項１から請求項１１のいずれか一項に記載の冷却貯蔵庫。
【請求項１５】
前記貯蔵室内において、前記上側スライドレールと前記冷却器室の間には、遮蔽板が配されている請求項１から請求項１４のいずれか一項に記載の冷却貯蔵庫。
【請求項１６】
前記遮蔽板は、
前記貯蔵室の手前側から前記貯蔵室の奥側に向かうにつれて下降傾斜する形で延びる第１延設部と、
前記第１延設部の先端から前記貯蔵室の手前側に向かうにつれて下降傾斜する形で延びる第２延設部と、を備える請求項１５に記載の冷却貯蔵庫。
【請求項１７】
前記遮蔽板は、前記貯蔵室の手前側から前記貯蔵室の奥側に向かうにつれて下降する形で延びた後、前記貯蔵室の手前側に向かうにつれて下降する形で延びる断面視曲線状をなす請求項１５に記載の冷却貯蔵庫。
【請求項１８】
前記貯蔵室内において、前記遮蔽板よりも低い位置に配される棚網を備え、
前記遮蔽板は、
当該冷却貯蔵庫の左右方向に長い長手状をなし、
前記遮蔽板の長手方向の一端部は、
長手方向の中央部に比して低い位置に配されると共に、前記左右方向において前記棚網の外側に配されている請求項１５に記載の冷却貯蔵庫。
【請求項１９】
前記遮蔽板は、
前記貯蔵室の手前側から奥側に向かって延びると共に、
最も低い部分が、前記奥側の端部よりも前記手前側に配されている形状をなす請求項１８に記載の冷却貯蔵庫。
【請求項２０】
前記遮蔽板の表面には、親水加工が施されている請求項１５から請求項１９のいずれか一項に記載の冷却貯蔵庫。
【請求項２１】
前記遮蔽板の表面には、撥水加工が施されている請求項１６又は請求項１７に記載の冷却貯蔵庫。
【発明の詳細な説明】
【技術分野】
【０００１】
本発明は、冷却貯蔵庫に関する。
【背景技術】
【０００２】
従来、スライド扉を有する冷却貯蔵庫として、貯蔵室の上方に冷却器室が配された構成のものが知られている。上記構成において、スライド扉の上下両端部は、貯蔵室の開口縁部に設けられた上下のスライドレールに対してそれぞれ取り付けられている。
【先行技術文献】
【特許文献】
【０００３】
【特許文献１】特開２００７−７５３３４号公報
【発明の概要】
【発明が解決しようとする課題】
【０００４】
上記のようなスライド扉を備える構成においては、上側のスライドレールの底面とスライド扉の上端部の間に空間が設けられている。これにより、この空間の分だけスライド扉を持ち上げることができ、上下のスライドレールに対してスライド扉を着脱することが可能となっている。ここで冷却器室が貯蔵室の上方に配されている場合には、冷却器室で発生した冷気によって、上側のスライドレールが比較的冷やされ易い。これにより、上側のスライドレールの上記空間内に溜まった外気が冷やされることで結露が発生し、結露によって発生した水滴が貯蔵室内に侵入する事態が懸念される。
【０００５】
本発明は上記のような事情に基づいて完成されたものであって、冷却貯蔵庫のスライドレールにおいて結露が発生する事態を抑制することを目的とする。
【課題を解決するための手段】
【０００６】
上記課題を解決するために、本発明の冷却貯蔵庫は、前側に開口された開口部を有する貯蔵室を構成する箱体と、前記箱体に対してスライド移動可能に設けられ、前記開口部を開閉可能なスライド扉と、前記箱体における前記開口部の開口縁部に設けられ、前記スライド扉の上端部が嵌合される上側レール溝を有する上側スライドレールと、前記箱体における前記開口部の開口縁部に設けられ、前記スライド扉の下端部が嵌合される下側レール溝を有する下側スライドレールと、を備え、前記箱体は、前記貯蔵室の上方に配されると共に、冷却器、及び前記冷却器によって生成された冷気を前記貯蔵室に送風可能な庫内ファンが収容された冷却器室を有し、下方に開口された前記上側レール溝の底面と、前記スライド扉の上端面との間には、空間が設けられ、前記上側スライドレールを構成する壁部には、前記空間と前記貯蔵室を連通する空気孔が貫通形成されていることに特徴を有する。
【０００７】
上側レール溝の底面と、スライド扉の上端面との間に空間を設けることで、スライド扉をその空間の分だけ持ち上げることができ、下側レール溝に対してスライド扉の下端部を出し入れすることができる。また、空間は空気孔を介して貯蔵室と連通されているから、その空間に侵入した外気（湿り空気）が空間内に滞留する事態を抑制することができる。これにより、空間内の空気が冷却器で生じた冷気によって冷やされることで結露する事態を抑制することができる。
【０００８】
また、前記上側レール溝における前記貯蔵室側の側面と、前記スライド扉の前記上端部の間には、スペーサが介在されているものとすることができる。スペーサが配されていない構成と比べて、スライド扉の上端部を前側に寄せることができ、上側レール溝における前側（外気側）の側面とスライド扉の上端部との間の隙間を小さくすることができる。これにより空間に外気が侵入する事態を抑制することができる。また、スペーサを設けることで、スペーサ以外の箇所では、上側レール溝における貯蔵室側の側面と、スライド扉の上端部の間に隙間を確保することができ、その隙間を通じて空間内の空気を貯蔵室に逃がすことができる。
【０００９】
また、前記空気孔の孔縁部における上側の孔縁部は、前記上側レール溝の前記底面における前記貯蔵室側の端部から下方に延びる延設壁部によって構成されているものとすることができる。上側レール溝の底面で発生した結露水が貯蔵室に飛散する事態を延設壁部によって抑制することができる。
【００１０】
また、前記空気孔の内面は、前記貯蔵室に向かうにつれて前記空気孔の外側に向かう形で傾斜する傾斜面を有するものとすることができる。空間内の空気が貯蔵室に向かい易くなる。
【００１１】
また、前記空気孔の内面には、凸部が形成されているものとすることができる。空気孔の内面を伝って空間内の水滴が貯蔵室に侵入する事態を抑制することができる。
【００１２】
また、前記空気孔の内面には、凹部が形成されているものとすることができる。空気孔の内面を伝って空間内の水滴が貯蔵室に侵入する事態を抑制することができる。
【００１３】
また、前記庫内ファンは、前記上側スライドレールから遠ざかる側に送風することが可能な構成であるものとすることができる。冷却器で発生した冷気が直接的に上側スライドレールに向かう事態を抑制でき、上側スライドレール付近における結露の発生を抑制できる。
【００１４】
また、前記空気孔の貫通方向は、前記貯蔵室に向かうにつれて上昇傾斜する方向であるものとすることができる。空気孔の貫通方向を上方にある庫内ファンに向けることができるので、庫内ファンを動作させた際に、空間内の空気が庫内ファンに向かい易くなる。
【００１５】
また、前記空気孔の貫通方向は、前記貯蔵室に向かうにつれて下降傾斜する方向であるものとすることができる。空気孔の貫通方向を、貯蔵室に向かうにつれて下降傾斜する方向にすることで、空間に対して下方から侵入し、底面に接触した外気が空気孔を通じて貯蔵室に向かい易くなる。
【００１６】
また、前記上側レール溝の側面及び前記スライド扉の前記上端部において前記上側レール溝の前記側面と対向する対向面のうち、いずれか一方の面は、下方に向かうにつれて他方の面から遠ざかる形で傾斜する傾斜面であるものとすることができる。上側レール溝の側面とスライド扉の対向面とが互いに面当たりする事態を抑制でき、スライド扉の上端部と上側レール溝の側面とが密着する事態を抑制できるから、空間内の空気を逃がし易くすることができる。
【００１７】
また、前記スライド扉の前記上端部において、前記上側レール溝における側面と対向する面には、突部が設けられているものとすることができる。突部を設けることでスライド扉の上端部と上側レール溝の側面の間に隙間を確保し易くなるから、空間内の空気を逃がし易くすることができる。
【００１８】
また、前記下側レール溝の底面は、前記貯蔵室側に向かうにつれて上昇傾斜又は下降傾斜する傾斜面であり、前記上側レール溝の側面は、鉛直方向に沿って延びる面であるものとすることができる。下側レール溝の底面を傾斜面にすることでスライド扉を傾斜させて配置することができる。この結果、上側レール溝の側面と及びスライド扉の上端部とが互いに面当たりする事態を抑制でき、スライド扉の上端部と上側レール溝の側面とが密着する事態を抑制できるから、空間内の空気を逃がし易くすることができる。
【００１９】
また、前記下側レール溝の底面には、当該冷却貯蔵庫の前後方向のうちいずれか一方が低い段差部が設けられ、前記上側レール溝の側面は、鉛直方向に沿って延びる面であるものとすることができる。段差部を設けることでスライド扉を傾斜させて配置することができる。この結果、上側レール溝の側面と及びスライド扉の上端部とが互いに面当たりする事態を抑制でき、スライド扉の上端部と上側レール溝の側面とが密着する事態を抑制できるから、空間内の空気を逃がし易くすることができる。
【００２０】
また、前記上側レール溝は、前記下側レール溝に対して、当該冷却貯蔵庫の前後方向について異なる位置に配されており、前記上側レール溝の側面は、鉛直方向に沿って延びる面であるものとすることができる。上側レール溝及び下側レール溝を前後方向にずらして配することで、スライド扉を傾斜させて配置することができる。この結果、上側レール溝の側面と及びスライド扉の上端部とが互いに面当たりする事態を抑制でき、スライド扉の上端部と上側レール溝の側面とが密着する事態を抑制できるから、空間内の空気を逃がし易くすることができる。
【００２１】
また、前記貯蔵室内において、前記上側スライドレールと前記冷却器室の間には、遮蔽板が配されているものとすることができる。冷却器室で生じた冷気が上側スライドレールに直接当たる事態を遮蔽板によって抑制でき、結露を抑制できる。
【００２２】
また、前記遮蔽板は、前記貯蔵室の手前側から前記貯蔵室の奥側に向かうにつれて下降傾斜する形で延びる第１延設部と、前記第１延設部の先端から前記貯蔵室の手前側に向かうにつれて下降傾斜する形で延びる第２延設部と、を備えるものとすることができる。遮蔽板の第１延設部における冷却器室側の面で結露が発生した場合において、水滴は、第１延設部及び第２延設部の表面を伝って流下する。第１延設部のみを備える構成と比べて、水滴の落下位置を貯蔵室におけるより手前側にすることができ、貯蔵室内の貯蔵物に水滴が落下する事態を抑制できる。
【００２３】
また、前記遮蔽板は、前記貯蔵室の手前側から前記貯蔵室の奥側に向かうにつれて下降する形で延びた後、貯蔵室の手前側に向かうにつれて下降する形で延びる断面視曲線状をなすものとすることができる。遮蔽板における冷却器室側の面で結露が発生した場合において、水滴は、遮蔽板の表面を伝って流下する。遮蔽板を上記のような断面視曲線状とすることで、水滴の落下位置を貯蔵室の手前側にすることができ、貯蔵室内の貯蔵物に水滴が落下する事態を抑制できる。
【００２４】
また、前記遮蔽板の表面には、撥水加工が施されているものとすることができる。遮蔽板の表面で結露が発生した場合において、水滴を確実に遮蔽板の延設端まで向かわせることができる。つまり、水滴の落下位置をより確実に貯蔵室の手前側にすることができる。
【００２５】
また、前記遮蔽板の表面には、親水加工が施されているものとすることができる。遮蔽板の表面において水滴が発生する事態を抑制できる。
【００２６】
また、前記貯蔵室内において、前記遮蔽板よりも低い位置に配される棚網を備え、前記遮蔽板は、当該冷却貯蔵庫の左右方向に長い長手状をなし、長手方向の一端部は、長手方向の中央部に比して低い位置に配されると共に、前記左右方向において前記棚網の外側に配されているものとすることができる。遮蔽板の表面で結露が発生した場合において、水滴は、遮蔽板の長手方向（左右方向）の一端部から落下する。一端部は、棚網の外側に配されているから、棚網上に配された貯蔵物に水滴が落下する事態を抑制できる。
【００２７】
また、前記遮蔽板は、前記貯蔵室の手前側から奥側に向かって延びると共に、最も低い部分が、前記奥側の端部よりも前記手前側に配されている形状をなすものとすることができる。遮蔽板の表面で結露が発生した場合において、水滴が遮蔽板の奥側の端部から落下する事態を抑制することができ、遮蔽板の長手方向の一端部から確実に水滴を落下させることができる。
【発明の効果】
【００２８】
本発明によれば、冷却貯蔵庫のスライドレールにおいて結露が発生する事態を抑制することができる。
【図面の簡単な説明】
【００２９】
【図１】本発明の実施形態１に係るショーケースを示す正面図
【図２】ショーケースを示す側断面図
【図３】図２において上側スライドレール付近を拡大した拡大図
【図４】上側スライドレールに形成された空気孔を貯蔵室側から視た図
【図５】スライド扉の上端部付近を示す断面図
【図６】スライド扉の下端部付近を示す断面図
【図７】実施形態２に係る遮蔽板を示す断面図
【図８】実施形態３に係る遮蔽板を正面側から視た図
【図９】実施形態３に係る貯蔵室内を示す側断面図
【図１０】実施形態４に係る遮蔽板を正面側から視た図
【図１１】実施形態５に係る空気孔を示す断面図
【図１２】実施形態６に係る空気孔を示す断面図
【図１３】実施形態７に係る空気孔を示す断面図
【図１４】実施形態８に係る空気孔を示す断面図
【図１５】実施形態９に係る空気孔を示す断面図
【図１６】実施形態１０に係る空気孔を示す断面図
【図１７】実施形態１１に係るスライド扉の上端部付近を示す断面図
【図１８】実施形態１２に係るスライド扉の上端部付近を示す断面図
【図１９】実施形態１３に係るスライド扉の上端部付近を模式的に示す断面図
【図２０】実施形態１４に係るスライド扉の上端部付近を模式的に示す断面図
【図２１】実施形態１５に係るスライド扉の上端部付近を模式的に示す断面図
【図２２】実施形態１６に係るスライド扉を模式的に示す断面図
【図２３】実施形態１７に係るスライド扉を模式的に示す断面図
【図２４】実施形態１８に係るスライド扉を模式的に示す断面図
【発明を実施するための形態】
【００３０】
＜実施形態１＞
本発明の実施形態１を図１から図６によって説明する。本実施形態では、冷却貯蔵庫として、冷蔵用のショーケース１０を例示している。図１及び図２に示すように、ショーケース１０は、前側に開口された開口部１１を有する貯蔵室１２を構成する箱体１３を備える。箱体１３は、例えばステンレス鋼板からなる外箱及び内箱の間に、発泡樹脂からなる断熱材が発泡充填されることで構成されている。開口部１１は、左右方向に配列された一対のスライド扉３０，４０によって覆われている。一対のスライド扉３０，４０は、前後方向にずれる形で配されており、箱体１３に対してそれぞれが左右方向についてスライド移動可能に設けられている。これにより、スライド扉３０，４０の各々をスライド移動させることで、開口部１１を開閉可能となっている。また、箱体１３の下方には機械室１４が配されている。機械室１４内には、圧縮機１５、凝縮器１６等からなる冷凍装置１７と、電装箱１８等が設置されている。なお、機械室１４は、図２に示すように、フロントパネル１４Ａによって前側から覆われる構成となっているが、図１では、フロントパネル１４Ａを省略している。
【００３１】
図２に示すように、箱体１３の内部における天井部分には、ドレンパンを兼ねたエアダクト１９が張設されており、その上方に冷却器室２０が形成されている。つまり、冷却器室２０は、貯蔵室１２の上方（且つ奥側）に配されている。冷却器室２０の手前側には吸込口２１が、奥側には吹出口２２が設けられている。冷却器室２０内には冷却器２３が収容されていると共に、吸込口２１に対向する形で庫内ファン２４が配されている。冷却器２３は、上記した冷凍装置１７と冷媒配管２５により循環接続されることで、周知の冷凍回路が構成されている。貯蔵室１２内における左右方向の中央部且つ手前側の端部に寄った位置には、棚柱２６が配されている。棚柱２６内に冷媒配管２５が収納されている。棚柱２６及び貯蔵室１２の奥面や側面に配された棚柱２６（一部図示せず）に取り付けられた受金２７には、棚網２８が複数段にわたって装着されるようになっている。また、棚柱２６の正面には、庫内を点灯する蛍光灯２９が縦向きに取り付けられている。
【００３２】
圧縮機１５及び庫内ファン２４が駆動すると、貯蔵室１２内の空気が吸込口から冷却器室２０内に吸引され（空気の流れを図２の矢線Ｆ１で示す）、冷却器室２０を通過する過程で熱交換により冷気が生成され、この冷気が吹出口から奥面に沿うようにして貯蔵室１２内に吹き出される（空気の流れを図２の矢線Ｆ２で示す）といった循環流が生じ、貯蔵室１２内が冷却されるようになっている。つまり、庫内ファン２４は、冷却器２３によって生成された冷気を上側スライドレール５０（後述）から遠ざかる側（奥側）に送風して、貯蔵室１２に送ることが可能となっている。
【００３３】
次にスライド扉に係る構成について説明する。以下の説明では、一対のスライド扉３０，４０のうち、前側のスライド扉を前側スライド扉３０と呼び、後側のスライド扉を後側スライド扉４０と呼ぶ。各スライド扉３０，４０の構成部品は基本的に同じであるため、以下の説明では、後側スライド扉４０の構成について主に説明する。後側スライド扉４０（及び前側スライド扉３０）は、方形状をなし、図１に示すように、ガラスやアクリルなどの透明板からなる扉本体４１と、扉本体４１の外周端部に取り付けられる枠体４２とを備える。枠体４２は、上下方向に延びる一対の縦枠４３，４３と、左右方向に延びる一対の横枠（上側横枠４５及び下側横枠４６）とを備える。
【００３４】
箱体１３における開口部１１の開口縁部のうち上側の開口縁部１１Ａには、上側スライドレール５０が設けられている。上側スライドレール５０は、図５に示すように、下方に開口された前側レール溝５１及び後側レール溝５２（上側レール溝）を有する。前側レール溝５１及び後側レール溝５２は、それぞれ左右方向に延びており、前側レール溝５１には、前側スライド扉３０の上側横枠４５が嵌合される。後側レール溝５２には、後側スライド扉４０の上側横枠４５（スライド扉の上端部）が嵌合される。
【００３５】
図６に示すように、箱体１３における開口部１１の開口縁部のうち下側の開口縁部１１Ｂには、下側スライドレール６０が設けられている。下側スライドレール６０は、上方に開口された前側レール溝６１及び後側レール溝６２（下側レール溝）を有する。前側レール溝６１及び後側レール溝６２は、それぞれ左右方向に延びており、前側レール溝６１には、前側スライド扉３０の下側横枠４６が嵌合される。後側レール溝６２には、後側スライド扉４０の下側横枠４６（スライド扉の下端部）が嵌合される。
【００３６】
つまり、前側スライド扉３０に対しては、上側スライドレール５０の前側レール溝５１が上側レール溝であり、下側スライドレール６０の後側レール溝６１が下側レール溝である。また、後側スライド扉４０に対しては、上側スライドレール５０の後側レール溝５２が上側レール溝であり、下側スライドレール６０の後側レール溝６２が下側レール溝である。下側横枠４６には、車輪４８が回動可能に取り付けられている。車輪４８は、後側レール溝６２（又は前側レール溝６１）内の突条６３に載せられ、車輪４８が突条６３に沿って転動することで、後側スライド扉４０（又は前側スライド扉３０）が開閉されるようになっている。
【００３７】
図３に示すように、後側レール溝５２の底面５２Ａと、後側スライド扉４０の上側横枠４５の上面４５Ａ（スライド扉の上端面）との間には、空間Ｓ１が設けられており、上側スライドレール５０を構成する壁部において、空間Ｓ１を構成する貯蔵室１２側の壁部５３には、空間Ｓ１と貯蔵室１２を連通する空気孔５４が貫通形成されている。空気孔５４は、壁部５３において、上下方向の中間位置に形成されている。つまり、壁部５３は、空気孔５４における上側の孔縁部５４Ｄ及び下側の孔縁部５４Ｅをそれぞれ構成するものとされる。そして、空気孔５４の孔縁部における上側の孔縁部５４Ｄは、後側レール溝５２の底面５２Ａにおける貯蔵室１２側の端部から下方に延びる延設壁部によって構成されている。
【００３８】
図４に示すように空気孔５４は例えば、左右方向に長い長孔とされ、左右方向（上側スライドレール５０の延設方向）に沿って複数配列されている。なお、空気孔の形状は、長孔に限定されず適宜変更可能である。例えば、図４の２点鎖線で示すように、空気孔（符号５４Ａ）を円形状としてもよく、空気孔（符号５４Ｂ）をＲを有する角孔としてもよい。また、角孔がＲを有していなくてもよい。また、前側レール溝５１の底面５１Ａと、前側スライド扉３０の上側横枠４５の上面４５Ａとの間には、空間Ｓ２が設けられている。
【００３９】
また、図５に示すように、上側スライドレール５０を構成する壁部のうち、壁部５３の下方に連なる壁部５９には、ホールプラグ５５の脚部５６が挿通される取付孔５７が形成されている。ホールプラグ５５の頭部５８（スペーサ）は、後側レール溝５２における貯蔵室１２側の側面５２Ｂと、後側スライド扉４０の上側横枠４５の間に介在されている。ホールプラグ５５を備えることで、後側スライド扉４０は、前側に押し付けられている。これにより、後側レール溝５２における前側の側面５２Ｄと後側スライド扉４０の上側横枠４５との間に隙間が生じる事態を抑制できる。
【００４０】
また、ホールプラグ５５は、図１の点で示すように、左右方向において後側スライド扉４０の上側横枠４５の両端部と重なる形でそれぞれ配されている。このため、後側スライド扉４０を開ける際（図１の状態から右側に変位させる際）には、右側のホールプラグ５５のみが上側横枠４５と当接する構成となっている。このため、後側スライド扉４０をスライドさせる際の摩擦抵抗をより少なくすることができる。なお、ホールプラグ５５は、前側スライド扉３０における上側横枠４５の右側端部に対応する箇所にも設けられている。
【００４１】
また、上側スライドレール５０の貯蔵室１２側の面において、空気孔５４の上方となる箇所には、冷却器室２０から上側スライドレール５０に向かう冷気を遮蔽する遮蔽板７０が設けられている。つまり、遮蔽板７０は、貯蔵室１２内において、上側スライドレール５０と冷却器室２０の間に配されている。遮蔽板７０は、貯蔵室１２の手前側から貯蔵室１２の奥側に向かうにつれて下降傾斜する形で延びる第１延設部７１と、第１延設部７１の先端から貯蔵室１２の手前側に向かうにつれて下降傾斜する形で延びる第２延設部７２と、を備える。また、遮蔽板７０の表面には、撥水加工が施されている。
【００４２】
次に本実施形態の効果について説明する。本実施形態によれば、後側レール溝５２の底面５２Ａと、後側スライド扉４０の上端面との間に空間Ｓ１を設けることで、後側スライド扉４０を空間Ｓ１の分だけ持ち上げることができ、後側レール溝６２に対して後側スライド扉４０の下端部を出し入れすることができる。また、空間Ｓ１は空気孔５４を介して貯蔵室１２と連通されているから、その空間Ｓ１に侵入した外気（湿り空気）が空間Ｓ１内に滞留する事態を抑制することができる。これにより、空間Ｓ１内の空気が冷却器２３で生じた冷気によって冷やされることで結露する事態を抑制することができる。また、空気孔５４のある側が上側スライドレール５０の後側であるため、上側スライドレール５０の向きを確認し易く、組み付ける際に好適である。
【００４３】
また、本実施形態では、ホールプラグ５５を備える。ホールプラグ５５が配されていない構成と比べて、後側スライド扉４０の上端部を前側に寄せることができ、後側レール溝５２における前側（外気側）の側面５２Ｄと後側スライド扉４０の上端部との間の隙間を小さくすることができる。これにより空間Ｓ１に外気が侵入する事態を抑制することができる。また、ホールプラグ５５を設けることで、ホールプラグ５５以外の箇所では、後側レール溝５２における貯蔵室１２側の側面５２Ｂと、後側スライド扉４０の上端部の間に隙間Ｓ３（図５参照）を確保することができ、その隙間Ｓ３を通じて空間Ｓ１内の空気を貯蔵室１２に逃がすことができる。
【００４４】
また、空気孔５４の孔縁部における上側の孔縁部５４Ｄは、後側レール溝５２の底面５２Ａにおける貯蔵室１２側の端部から下方に延びる延設壁部によって構成されている。後側レール溝５２の底面５２Ａで発生した結露水が貯蔵室１２に飛散する事態を延設壁部（上側の孔縁部５４Ｄ）によって抑制することができる。なお、空気孔５４は、空間Ｓ１を構成する壁部５３において、上下方向の中間位置に形成されている。仮に空気孔５４を壁部５３の下部に設けると、空気孔５４において上側の孔縁部５４Ｄの上下方向の長さが大きくなり、空間Ｓ１内の空気（貯蔵室１２内と比べて比較的暖かい空気）が貯蔵室１２に向かう事態が妨げられる。一方、空気孔５４を壁部５３の上部に設けると、空気孔５４において上側の孔縁部５４Ｄが存在しないことになり、空間Ｓ１内（例えば、底面５２Ａ上）で結露によって生じた水滴が貯蔵室１２内に飛散する事態が懸念される。空気孔５４を壁部５３の上下方向の中間位置に設けることで、壁部５３の下部に設けた場合に比べて、上側の孔縁部５４Ｄの上下方向の長さを短くすることができ、空間Ｓ１内の空気を貯蔵室１２に向かわせることと、水が貯蔵室１２に飛散する事態を抑制することを両立することができる。
【００４５】
また、庫内ファン２４は、上側スライドレール５０から遠ざかる側に送風することが可能な構成である。冷却器２３で発生した冷気が直接的に上側スライドレール５０に向かう事態を抑制でき、上側スライドレール５０付近における結露の発生を抑制できる。また、上側スライドレール５０から遠ざかる側に送風することで、空間Ｓ１内の空気は、空気孔５４を通じて、貯蔵室１２内に吸引されることになるから、空間Ｓ１内に空気が溜まる事態をより一層抑制できる。
【００４６】
また、遮蔽板７０を備え、遮蔽板７０は、第１延設部７１と、第２延設部７２と、を備える。冷却器室２０で生じた冷気が上側スライドレール５０（壁部５３，５９等）に直接当たる事態を遮蔽板７０によって抑制でき、結露を抑制できる。遮蔽板７０の第１延設部７１における冷却器室２０側の面で結露が発生した場合において、水滴は、第１延設部７１及び第２延設部７２の表面を伝って流下する。第１延設部７１のみを備える構成と比べて、水滴の落下位置を貯蔵室１２におけるより手前側（棚網２８から遠い側）にすることができ、貯蔵室１２内の貯蔵物（棚網２８上）に水滴が落下する事態を抑制できる。また、遮蔽板７０の表面には、撥水加工が施されている。遮蔽板７０の表面で結露が発生した場合において、水滴を確実に遮蔽板７０の延設端（第２延設部７２の先端）まで向かわせることができる。つまり、水滴の落下位置をより確実に貯蔵室１２の手前側にすることができる。
【００４７】
＜実施形態２＞
次に、本発明の実施形態２を図７によって説明する。本実施形態では、遮蔽板の構成が上記実施形態と相違する。なお、上記実施形態と同一部分には、同一符号を付して重複する説明を省略する。図７に示すように、遮蔽板１７０は、貯蔵室１２の手前側から貯蔵室１２の奥側（図７の右側）に向かうにつれて下降する形で延びた後、貯蔵室１２の手前側に向かうにつれて下降する形で延びる断面視曲線状（半円弧状）をなしている。また、遮蔽板１７０の表面には、親水加工が施されている。遮蔽板１７０の表面で結露が発生した場合において、水滴は、遮蔽板１７０の表面を伝って流下する。遮蔽板１７０を上記のような断面視曲線状とすることで、水滴の落下位置を貯蔵室１２の手前側にすることができ、貯蔵室１２内の貯蔵物に水滴が落下する事態を抑制できる。また、遮蔽板１７０の表面に親水加工が施すことで、遮蔽板１７０の表面において水滴が発生する事態を抑制できる。
【００４８】
＜実施形態３＞
次に、本発明の実施形態３を図８及び図９によって説明する。本実施形態では、遮蔽板の構成が上記実施形態と相違する。なお、上記各実施形態と同一部分には、同一符号を付して重複する説明を省略する。遮蔽板２７０は、図８に示すように、ショーケース１０の左右方向に長い長手状をなし、左側に向かうにつれて下降傾斜する形で配されている。このため、遮蔽板２７０における長手方向の一端部は、長手方向の中央部に比して低い位置に配されている。そして、遮蔽板２７０における長手方向の一端部２７０Ｄは、左右方向において棚網２８の外側に配されている。なお、図８は貯蔵室１２を正面側から視た模式図である。これにより、遮蔽板２７０の表面で結露が発生した場合において、水滴は、遮蔽板２７０の長手方向（左右方向）の一端部２７０Ｄから落下する。一端部２７０Ｄは、遮蔽板２７０よりも低い位置に配される棚網２８の外側に配されているから、棚網２８上に配された貯蔵物に水滴が落下する事態を抑制できる。また、遮蔽板２７０は、図９の側面視においては、貯蔵室１２の手前側から奥側に向かって延びると共に、最も低い部分２７０Ａが、奥側の端部２７０Ｂよりも手前側に配されている形状をなす。これにより、遮蔽板２７０の表面で結露が発生した場合において、水滴が遮蔽板２７０の奥側の端部から落下する事態を抑制することができ、遮蔽板２７０の長手方向の一端部２７０Ｄから確実に水滴を落下させることができる。
【００４９】
＜実施形態４＞
次に、本発明の実施形態４を図１０によって説明する。本実施形態では、遮蔽板の構成が上記実施形態と相違する。なお、上記各実施形態と同一部分には、同一符号を付して重複する説明を省略する。遮蔽板３７０は、図１０に示すように、ショーケース１０の左右方向に長い長手状をなし、左右両側に向かうにつれて下降傾斜する形で配されている。このため、遮蔽板３７０における長手方向の両端部３７０Ｄ，３７０Ｅは、長手方向の中央部に比してそれぞれ低い位置に配されている。そして、遮蔽板３７０における長手方向の両端部３７０Ｄ，３７０Ｅは、左右方向において、それぞれ棚網２８の外側に配されている。また、遮蔽板３７０は、側面視においては、遮蔽板２７０と同様の形状をなす。
【００５０】
＜実施形態５＞
次に、本発明の実施形態５を図１１によって説明する。本実施形態では、空気孔の構成が上記実施形態と相違する。なお、上記各実施形態と同一部分には、同一符号を付して重複する説明を省略する。図１１に示すように、本実施形態の空気孔１５４は、貯蔵室１２側の角部が面取りされており、傾斜面１５４Ａを有している。傾斜面１５４Ａ（空気孔の内面の一部）は、貯蔵室１２に向かうにつれて空気孔１５４の外側に向かう形で傾斜する傾斜面とされる。このようにすれば、空間Ｓ１内の空気が貯蔵室１２に向かい易くなる。
【００５１】
＜実施形態６＞
次に、本発明の実施形態６を図１２によって説明する。本実施形態では、空気孔の構成が上記実施形態と相違する。なお、上記各実施形態と同一部分には、同一符号を付して重複する説明を省略する。本実施形態では、図１２に示すように、空気孔２５４の内面に凸部２５４Ａが形成されている。これにより、空気孔２５４の内面を伝って空間Ｓ１内の水滴が貯蔵室１２に侵入する事態を抑制することができる。
【００５２】
＜実施形態７＞
次に、本発明の実施形態７を図１３によって説明する。本実施形態では、空気孔の構成が上記実施形態と相違する。なお、上記各実施形態と同一部分には、同一符号を付して重複する説明を省略する。本実施形態では、図１３に示すように、空気孔３５４の内面に凹部３５４Ａが形成されている。これにより、空気孔３５４の内面を伝って空間Ｓ１内の水滴が貯蔵室１２に侵入する事態を抑制することができる。
【００５３】
＜実施形態８＞
次に、本発明の実施形態８を図１４によって説明する。本実施形態では、空気孔の構成が上記実施形態と相違する。なお、上記各実施形態と同一部分には、同一符号を付して重複する説明を省略する。本実施形態では、図１４に示すように、空気孔４５４の孔径が、貯蔵室１２に向かうにつれて大きくなるように設定されている。言い換えると、空気孔４５４の内面は、貯蔵室１２に向かうにつれて空気孔４５４の外側に向かう形で傾斜する傾斜面となっている。これにより、空間Ｓ１内の空気が貯蔵室に向かい易くなる。
【００５４】
＜実施形態９＞
次に、本発明の実施形態９を図１５によって説明する。本実施形態では、空気孔の構成が上記実施形態と相違する。なお、上記各実施形態と同一部分には、同一符号を付して重複する説明を省略する。本実施形態では、図１５に示すように、空気孔５５４の貫通方向が、貯蔵室１２に向かうにつれて下降傾斜する方向となっている。空気孔５５４の貫通方向を、貯蔵室１２に向かうにつれて下降傾斜する方向にすることで、空間Ｓ１に対して下方から侵入し、底面５２Ａに接触した外気が空気孔５５４を通じて貯蔵室１２に向かい易くなる。
【００５５】
＜実施形態１０＞
次に、本発明の実施形態１０を図１６によって説明する。本実施形態では、空気孔の構成が上記実施形態と相違する。なお、上記各実施形態と同一部分には、同一符号を付して重複する説明を省略する。本実施形態では、図１６に示すように、空気孔６５４の貫通方向が、貯蔵室１２に向かうにつれて上昇傾斜する方向となっている。空気孔６５４の貫通方向を上方にある庫内ファン２４（図２参照）に向けることができるので、庫内ファン２４を動作させた際に、空間Ｓ１内の空気を庫内ファン２４に向かい易くすることができる。なお、図１６に示すように、遮蔽板を備えていなくてもよい。
【００５６】
＜実施形態１１＞
次に、本発明の実施形態１１を図１７によって説明する。本実施形態では、ホールプラグの構成が上記実施形態と相違する。なお、上記各実施形態と同一部分には、同一符号を付して重複する説明を省略する。本実施形態のホールプラグ１５５は、ホールプラグ５５に比べて脚部１５６の長さがより小さいものとなっている。また、ホールプラグ１５５は、前側レール溝５１を構成する壁部において貯蔵室１２側の壁部１５３に形成された取付孔１５７にも取り付けられている。これにより、前側スライド扉３０の上端部を前側に寄せることができ、前側レール溝５１における前側の側面５１Ｄと前側スライド扉３０の上端部との間の隙間を小さくすることができる。これにより前側スライド扉３０の上方の空間Ｓ２に外気が侵入する事態を抑制することができる。なお、図１７に示すように、ホールプラグ１５５は脚部１５６が比較的短いものであるから、前側のホールプラグ１５５の脚部１５６と後側スライド扉４０が干渉する事態が防止されている。
【００５７】
＜実施形態１２＞
次に、本発明の実施形態１２を図１８によって説明する。上記各実施形態と同一部分には、同一符号を付して重複する説明を省略する。図１８に示すように、本実施形態では、上側スライドレール５０における貯蔵室１２側の壁部５９に突起部２５５が形成されている。突起部２５５は後側レール溝５２における貯蔵室１２側の側面５２Ｂと、後側スライド扉４０の上側横枠４５の間に介在されており、ホールプラグの代わりにスペーサの機能を有している。これにより、後側スライド扉４０の上端部（上側横枠４５）を前側に寄せることができ、後側レール溝５２における前側の側面５２Ｄと後側スライド扉４０の上端部との間の隙間を小さくすることができる。これにより後側スライド扉４０の上方の空間Ｓ１に外気が侵入する事態を抑制することができる。
【００５８】
＜実施形態１３＞
次に、本発明の実施形態１３を図１９によって説明する。本実施形態では、上側スライドレールの構成が上記実施形態と相違する。なお、上記各実施形態と同一部分には、同一符号を付して重複する説明を省略する。図１９は、上側スライドレール１５０及びスライド扉３０，４０の上端部を模式的に示す図である。なお、上側スライドレール１５０においては、上記各実施形態で例示した空気孔が適宜形成されるが図１９では図示を省略してある。図１９に示すように、本実施形態では、前側レール溝１５１及び後側レール溝１５２の開口幅が下方に向かうにつれて大きくなるように設定されている。これにより、前側レール溝１５１の側面１５１Ａ（上側レール溝の側面及びスライド扉の上端部において上側レール溝の側面と対向する対向面のうち、いずれか一方の面）は、下方に向かうにつれて上側横枠４５における側面１５１Ａとの対向面４５Ｂ（他方の面）から遠ざかる形で傾斜する傾斜面とされる。
【００５９】
また、後側レール溝１５２の側面１５２Ａ（上側レール溝の側面及びスライド扉の上端部において上側レール溝の側面と対向する対向面のうち、いずれか一方の面）は、下方に向かうにつれて上側横枠４５における側面１５２Ａとの対向面４５Ｃ（他方の面）から遠ざかる形で傾斜する傾斜面とされる。このようにすれば、後側レール溝１５２の側面１５２Ａとスライド扉４０の対向面４５Ｃとが互いに面当たりして密着する事態を抑制でき、スライド扉４０の上端部と後側レール溝１５２の側面１５２Ａの間に隙間を確保し易くなるから、空間Ｓ１内の空気を逃がし易くすることができる。
【００６０】
＜実施形態１４＞
次に、本発明の実施形態１４を図２０によって説明する。本実施形態では、スライド扉の構成が上記実施形態と相違する。なお、上記各実施形態と同一部分には、同一符号を付して重複する説明を省略する。図２０に示すように、本実施形態ではスライド扉３０，４０の上側横枠２４５の幅が下方に向かうにつれて小さくなるように設定されている。一方、上側スライドレール２５０の前側レール溝２５１及び後側レール溝２５２は、その開口幅が上下方向について均一な値で設定されている。つまり、前側レール溝２５１の側面２５１Ａ及び後側レール溝２５２の側面２５２Ａは鉛直方向に沿う面である。
【００６１】
これにより、前側スライド扉３０の上側横枠２４５における側面２５１Ａとの対向面２４５Ａ（上側レール溝の側面及びスライド扉の上端部において上側レール溝の側面と対向する対向面のうち、いずれか一方の面）は、下方に向かうにつれて側面２５１Ａ（他方の面）から遠ざかる形で傾斜する傾斜面とされる。また、後側スライド扉４０の上側横枠２４５における側面２５２Ａとの対向面２４５Ｂは、下方に向かうにつれて側面２５２Ａ（他方の面）から遠ざかる形で傾斜する傾斜面とされる。これにより、後側レール溝２５２の側面２５２Ａと後側スライド扉４０の対向面２４５Ｂとが互いに面当たりして密着する事態を抑制でき、スライド扉４０の上端部と後側レール溝２５２の側面の間に隙間を確保し易くなるから、空間Ｓ１内の空気を逃がし易くすることができる。
【００６２】
＜実施形態１５＞
次に、本発明の実施形態１５を図２１によって説明する。本実施形態では、後側スライド扉の構成が上記実施形態と相違する。なお、上記各実施形態と同一部分には、同一符号を付して重複する説明を省略する。図２１に示すように、後側スライド扉４０の上側横枠４５において、後側レール溝２５２の側面２５２Ａと対向する面には、突部２４７が設けられている。突部２４７を設けることで、後側スライド扉４０の上端部と後側レール溝２５２の側面２５２Ａの間に隙間を確保し易くなるから、空間Ｓ１内の空気を逃がし易くすることができる。
【００６３】
＜実施形態１６＞
次に、本発明の実施形態１６を図２２によって説明する。本実施形態では、下側スライドレールの構成が上記実施形態と相違する。なお、上記各実施形態と同一部分には、同一符号を付して重複する説明を省略する。図２２に示すように下側スライドレール２６０において、前側レール溝２６１の底面２６１Ａ及び後側レール溝２６２（下側レール溝）の底面２６２Ａは、貯蔵室１２側（図２２の右側）に向けて下降傾斜する傾斜面である。これに対して、上側スライドレール２５０において、前側レール溝２５１の側面２５１Ｂ及び後側レール溝２５２の側面２５２Ｂは、鉛直方向に沿って延びる面である。
【００６４】
このようにすれば、スライド扉３０，４０を傾斜させて配置することができる。この結果、前側レール溝２５１の側面２５１Ｂと前側スライド扉３０の上端部とが互いに面当たりする事態を抑制でき、スライド扉３０の上端部と前側レール溝２５１の側面２５１Ｂとが密着する事態を抑制できるから、空間Ｓ２内の空気を逃がし易くすることができる。また、後側レール溝２５２の側面２５２Ｂと後側スライド扉４０の上端部とが互いに面当たりする事態を抑制でき、後側スライド扉４０の上端部と後側レール溝２５２の側面２５２Ｂとが密着する事態を抑制できるから、空間Ｓ１内の空気を逃がし易くすることができる。なお、本実施形態において、底面２６１Ａ及び底面２６２Ａが貯蔵室１２側に向けて上昇傾斜する傾斜面であってもよい。
【００６５】
＜実施形態１７＞
次に、本発明の実施形態１７を図２３によって説明する。本実施形態では、下側スライドレールの構成が上記実施形態と相違する。なお、上記各実施形態と同一部分には、同一符号を付して重複する説明を省略する。図２３に示すように、下側スライドレール３６０において、前側レール溝３６１の底面３６１Ａには、突起３６１Ｄによって、後側（冷却貯蔵庫の前後方向のうちいずれか一方）が低い段差部３６１Ｂが設けられている。また、後側レール溝３６２（下側レール溝）の底面３６２Ａには、突起３６２Ｄによって、後側が低い段差部３６２Ｂが設けられている。段差部３６１Ｂ，３６２Ｂを設けることでスライド扉３０，４０を傾斜させて配置することができる。この結果、スライド扉３０の上端部と前側レール溝２５１の側面２５１Ｂとが密着する事態を抑制できるから、空間Ｓ２内の空気を逃がし易くすることができる。また、後側レール溝２５２の側面２５２Ｂと後側スライド扉４０の上端部とが互いに面当たりする事態を抑制でき、後側スライド扉４０の上端部と後側レール溝２５２の側面２５２Ｂとが密着する事態を抑制できるから、空間Ｓ１内の空気を逃がし易くすることができる。なお、本実施形態において、段差部３６１Ｂ，３６２Ｂが前側に向けて低い段差であってもよい。
【００６６】
＜実施形態１８＞
次に、本発明の実施形態１８を図２４によって説明する。本実施形態では、上側スライドレール及び下側スライドレールの構成が上記実施形態と相違する。なお、上記各実施形態と同一部分には、同一符号を付して重複する説明を省略する。本実施形態では、図２４に示すように、上側スライドレール２５０が下側スライドレール３６０に対して後側（貯蔵室１２側）に配されている。つまり、上側スライドレール２５０の各レール溝２５１，２５２は、下側スライドレール３６０の各レール溝３６１，３６２に対して前後方向について異なる位置に配されている。レール溝２５１，２５２及びレール溝３６１，３６２を前後方向にずらして配することで、スライド扉３０，４０を傾斜させて配置することができる。この結果、上側スライドレール２５０のレール溝２５１，２５２の側面と及びスライド扉３０，４０の上端部とが互いに面当たりする事態を抑制でき、スライド扉３０，４０の上端部とレール溝２５１，２５２の側面とが密着する事態を抑制できるから、空間Ｓ１，Ｓ２内の空気を逃がし易くすることができる。
【００６７】
＜他の実施形態＞
本発明は上記記述及び図面によって説明した実施形態に限定されるものではなく、例えば次のような実施形態も本発明の技術的範囲に含まれる。
（１）上記実施形態では、冷却貯蔵庫として、冷蔵用のショーケースを例示したが、これに限定されない。例えば、ショーケース以外の冷却貯蔵庫であってもよい。また、冷蔵機能に加えて、加熱や温蔵などの機能を備えていてもよい。
（２）遮蔽板の形状は上記実施形態で例示したものに限定されない。例えば、遮蔽板として第１延設部７１のみを備えていてもよい。
（３）上記各実施形態で例示した構成は、可能な範囲で適宜組み合わせることが可能である。
【符号の説明】
【００６８】
１０…ショーケース（冷却貯蔵庫）、１１…開口部、１２…貯蔵室、１３…箱体、２０…冷却器室、２３…冷却器、２４…庫内ファン、２８…棚網、３０…前側スライド扉（スライド扉）、４０…後側スライド扉（スライド扉）、４５…上側横枠（スライド扉の上端部）、４５Ａ…後側スライド扉の上側横枠の上面（スライド扉の上端面）、４５Ｃ，２４５Ｂ…対向面（スライド扉の上端部において上側レール溝の側面と対向する対向面）、４６…下側横枠（スライド扉の下端部）、５０…上側スライドレール、５２，１５２，２５２…後側レール溝（上側レール溝）、５２Ａ…後側レール溝の底面（上側レール溝の底面）、５２Ｂ…側面（上側レール溝における貯蔵室側の側面）、５３…上側スライドレールを構成する壁部、５４，１５４，２５４，３５４，４５４，５５４，６５４…空気孔、５８…ホールプラグの頭部（スペーサ）、６０…下側スライドレール、６２，２６２，３６２…後側レール溝（下側レール溝）、７０，１７０，２７０，３７０…遮蔽板、７１…第１延設部、７２…第２延設部、１５２Ａ，２５２Ａ、２５２Ｂ…側面（上側レール溝の側面）、１５４Ａ…傾斜面（貯蔵室に向かうにつれて空気孔の外側に向かう形で傾斜する傾斜面）、２４７…突部、２５４Ａ…凸部、２５５…突起部（スペーサ）、２６２Ａ，３６２Ａ…底面（下側レール溝の底面）、２７０Ａ…遮蔽板の最も低い部分、２７０Ｂ…遮蔽板の奥側の端部、２７０Ｄ…遮蔽板の一端部、３５４Ａ…凹部、３６２Ｂ…段差部、Ｓ１…空間
【図１】
2018194177.tif 000003
【図２】
2018194177.tif 000004
【図３】
2018194177.tif 000005
【図４】
2018194177.tif 000006
【図５】
2018194177.tif 000007
【図６】
2018194177.tif 000008
【図７】
2018194177.tif 000009
【図８】
2018194177.tif 000010
【図９】
2018194177.tif 000011
【図１０】
2018194177.tif 000012
【図１１】
2018194177.tif 000013
【図１２】
2018194177.tif 000014
【図１３】
2018194177.tif 000015
【図１４】
2018194177.tif 000016
【図１５】
2018194177.tif 000017
【図１６】
2018194177.tif 000018
【図１７】
2018194177.tif 000019
【図１８】
2018194177.tif 000020
【図１９】
2018194177.tif 000021
【図２０】
2018194177.tif 000022
【図２１】
2018194177.tif 000023
【図２２】
2018194177.tif 000024
【図２３】
2018194177.tif 000025
【図２４】
2018194177.tif 000026